(57)【要約】本発明は、靴用ミッドソール（１０）であって、本体（１１）を備え、この本体には、トレッドに接合するための下部（１２）と、インソールを支持するための上部（１３）とがある。上部（１３）は、この上部（１３）の底面（１５）から本体（１１）の外側へ向かって突出する複数の弾性圧縮可能な突起部（１４、１４ａ、１４ｂ、１４ｃ、１４ｄ、１４ｅ）を含む。【選択図】図１
2019521824.tif 000002
【特許請求の範囲】
【請求項１】
靴用ミッドソール（１０）であって、
本体（１１）を備え、この本体には、トレッドに接合するための下部（１２）と、インソールを支持するための上部（１３）とがあり、
上記上部（１３）は、この上部（１３）の底面（１５）から上記本体（１１）の外側へ向かって突出する複数の弾性圧縮可能な突起部（１４、１４ａ、１４ｂ、１４ｃ、１４ｄ、１４ｅ）を含むことを特徴とする靴用ミッドソール。
【請求項２】
請求項１に記載の靴用ミッドソールにおいて、
上記弾性圧縮可能な突起部（１４、１４ａ、１４ｂ、１４ｃ、１４ｄ、１４ｅ）のそれぞれは、上記本体（１１）の外側に向かって開いているブラインドキャビティ（１６）を有することを特徴とする靴用ミッドソール。
【請求項３】
請求項１または２に記載の靴用ミッドソールにおいて、
上記本体（１１）は足の裏を含むような輪郭をしていることを特徴とする靴用ミッドソール。
【請求項４】
請求項１から３までのいずれか一つに記載の靴用ミッドソールにおいて、
各突起部（１４、１４ａ、１４ｂ、１４ｃ、１４ｄ、１４ｅ）は、段付き錐台状の隆起部分（１８）で構成されていることを特徴とする靴用ミッドソール。
【請求項５】
請求項１から４までのいずれか一つに記載の靴用ミッドソールにおいて、
上記ブラインドキャビティ（１６）は、このブラインドキャビティが形成されている上記突起部（１４、１４ａ、１４ｂ、１４ｃ、１４ｄ、１４ｅ）の錐台状の輪郭と同軸であることを特徴とする靴用ミッドソール。
【請求項６】
請求項１から５までのいずれか一つに記載の靴用ミッドソールにおいて、
上記底面（１５）は足底形状であることを特徴とする靴用ミッドソール。
【請求項７】
請求項１から６までのいずれか一つに記載の靴用ミッドソールにおいて、
各突起部（１４、１４ａ、１４ｂ、１４ｃ、１４ｄ、１４ｅ）は、他の突起部の他の端面（１７）と共に、解剖学的形状を有するインソールを載置するための外面（２０）を画定するように、平坦な端面（１７）を有することを特徴とする靴用ミッドソール。
【請求項８】
請求項１から７までのいずれか一つに記載の靴用ミッドソールにおいて、
各突起部（１４、１４ａ、１４ｂ、１４ｃ、１４ｄ、１４ｅ）の高さは、上記突起部が一部であるミッドソール（１０）の領域内の底面（１５）の解剖学的形状に従って変化していることを特徴とする靴用ミッドソール。
【請求項９】
請求項１から８までのいずれか一つに記載の靴用ミッドソールにおいて、
上記ミッドソールは、インソールを収容するための外周縁部（２１）によって囲まれていることを特徴とする靴用ミッドソール。
【請求項１０】
請求項１から９までのいずれか一つに記載の靴用ミッドソールにおいて、
上記ミッドソールは単一片で提供されていることを特徴とする靴用ミッドソール。
【請求項１１】
請求項１から１０までのいずれか一つに記載の靴用ミッドソールにおいて、
上記ミッドソールは、靴の使用中に元の形状に戻るのを容易にするために、弾性特性を有する材料を有する単一片で提供され、好ましくは（０．１５〜１．２０）ｇ／ｃｍ３の間に含まれる密度、および好ましくは（１５〜６０）ショアＡの間に含まれる硬度を有し、例えば、ＳＢＳ（スチレン−ブタジエン−スチレン）ゴム、ＮＲゴム（天然ゴム）、ゴムおよびＥＶＡ（エチレンビニルアセテート）、ＴＰＵ（熱可塑性ポリウレタン）および二成分（ポリオール−イソシアネート）発泡ポリウレタンＥＰなどであることを特徴とする靴用ミッドソール。
【発明の詳細な説明】
【技術分野】
【０００１】
この発明は靴用ミッドソールに関する。
【背景技術】
【０００２】
今日では、通常は厚さが厚く、弾性的で柔軟な材料で作られている靴用のミッドソールを提供することが知られている。それは、歩行中または走行中に想定される形状の関数として解剖学的に足に一致するため、そしてまた衝撃吸収材として作用するためである。
【０００３】
実際、ミッドソールは、地面に対する足の衝撃領域の過剰な負荷を適切に減らすことができ、かつ、通常の踵−つま先（heel-toe）ストライドの間に受けたエネルギの一部を弾性的に戻すことができなければならず、同時に、筋肉骨格装置の損傷に対する筋肉のストレスと負荷を減らすことができなければならない。
【０００４】
今日では、そのようなニーズを満たすために、ミッドソールが使用されている。ミッドソールの主な機能は、通常の踵−つま先ストライド時の衝撃の吸収、踵からつま先へ荷重を伝達するための弾性降伏、およびスラスト相に対する柔軟性である。
【０００５】
したがって、発泡ポリウレタン（ＥＰ）またはエチレンビニルアセテート（ＥＶＡ）で作られた靴のミッドソールを提供することが知られている。それは、ミッドソールの約９０％を占め、踵からつま先までのミッドソールの全長にわたる単一の剛性レベルによって特徴づけられる。
【発明の概要】
【発明が解決しようとする課題】
【０００６】
引用された既知の技術に見いだされる欠点は、ＥＶＡまたはＥＰから作られたミッドソールがユーザの足の裏の形状にゆっくりと順応し、したがって、使用中に、適切な解剖学的順応を保証することができず、靴をかなり不快にすることにある。
【０００７】
この欠点は、過剰な回内(overpronation)または過度の回外（excessive supination）を患っているユーザにとっては、もっと感じられる。
【０００８】
回内はランニングの通常の部分であり、衝撃を吸収するために、歩行中またはランニング中に足が内向きに回転するという自然な傾向からなる。或る人々は、足が地面にぶつかった後も続く過度の回転（過剰な回内）、または、足の不十分な回転（過度の回外）を有する。どちらもランニングの仕方に影響を及ぼし、怪我のリスクを高め、足と膝の両方に腱炎、足底筋膜炎、その他の筋肉の炎症を起こす。
【０００９】
これらの欠点を克服することを模索するために、例えばミッドソールの内側壁で土踏まず（plantar arch）のところに、より厚いまたはより薄い厚さの鉛直壁の形態にある剛性支持要素を挿入することが知られている。
【００１０】
そのような剛性要素は不快で不便である。その理由は、それらは足にフィットするように三次元的かつ解剖学的に形成されていないので、それらは足の裏の形状に順応しないからである。
【００１１】
従来のミッドソールは、しばしば、付加的な材料（その機能はミッドソールを軽くし、緩衝することである。）を使用することによって、くびれ部で補強されている。空気またはゲルまたは同様の材料を含む、踵領域に配置されたパッドの使用が知られている。それは、衝撃吸収を高め、地面との衝突エネルギを弾性的に吸収しながら、変形するようになっている。
【００１２】
そのような従来の解決法の欠点は、使用中に繰り返し圧縮が行われた結果、やがてミッドソールは衝撃吸収特性とスラスト相の弾性復帰を失うという事実のせいで、衝撃吸収の損失と、その結果としての弾性の損失からなる。これは、それが作られる主要材料の特性と、スポーツ活動中に生じる繰り返しの圧縮を受けると容易に収縮して破断し得るパッドの使用との両方に起因し得る。
【００１３】
そこで、この発明の目的は、従来のミッドソールの上述の欠点を克服することができる
靴用ミッドソールを提供することにある。
【００１４】
特に、本発明の目的は、従来のミッドソールと比較して緩衝性およびスラスト性について改善された特性を提供するミッドソールを開発することにある。
【００１５】
本発明の他の目的は、緩衝能力とスラスト能力とが経時的に維持されることを確実にするミッドソールを得ることにある。
【００１６】
本発明の他の目的は、過剰な回内または過度の回外の問題を抱える人のためを含んで、適切なレベルの解剖学的順応が達成されることを確実にするミッドソールを提供することにある。
【課題を解決するための手段】
【００１７】
この目的、および、以下により明確になるであろう他の目的は、請求項１に記載の靴用ミッドソールによって達成される。
【図面の簡単な説明】
【００１８】
本発明のさらなる特徴および利点は、添付の図面において非限定的な例として示されている、本発明の特定の、しかし排他的ではない実施形態の詳細な説明からより明らかになるであろう。
【図１】本発明によるミッドソールを上方から見た図である。
【図２】図１の線II−IIに沿った側断面図の一部を示す図である。
【図３】図１の線II−IIに沿った側断面図の他の部分を示す図である。
【図４】図３の詳細図である。
【発明を実施するための形態】
【００１９】
図面を参照すると、本発明による靴のミッドソールは全体として参照番号１０で示されている。
【００２０】
ミッドソール１０は本体１１を備え、この本体１１には、トレッド（靴底）に接合するための下部１２と、インソール（中敷）を支持するための上部１３とがある。
【００２１】
本発明によるミッドソール１０の特徴は、上部１３が、上部１３の底面１５から本体１１の外側に向かって突出している、複数の弾性的に圧縮可能な突起部１４、１４ａ、１４ｂ、１４ｃ、１４ｄ、１４ｅを含むという事実にある。
【００２２】
この例示的な実施形態では、弾性的に圧縮可能な突起部１４、１４ａ、１４ｂ、１４ｃ、１４ｄ、１４ｅのそれぞれは、本体１１の外側に向かって開いているブラインドキャビティ１６を有する。
【００２３】
したがって、そのような弾性的に圧縮可能な突起部は、中実に、すなわちブラインドキャビティ無しに、提供され得ることが理解されるべきである。
【００２４】
本体１１は足の裏を含むような輪郭をしている。
【００２５】
各突起部１４、１４ａ、１４ｂ、１４ｃ、１４ｄおよび１４ｅは、この例示的な実施形態では、段付き錐台状の隆起部分１８によって構成されている。図４の詳細に明らかに見られるように、そのような段の数は、それらが突出する底面１５に対する突起部１４、１４ａ、１４ｂ、１４ｃ、１４ｄ、１４ｅの高さと共に変化する。
【００２６】
突起部１４、１４、１４ａ、１４ｂ、１４ｃ、１４ｄ、１４ｅは、例えば円筒形などの他の形状を有することもできることが理解されるべきである。
【００２７】
突起部１４、１４、１４ａ、１４ｂ、１４ｃ、１４ｄ、１４ｅは、それらが配置される領域に従って、突起ごとに異なる形状を有することができることが理解されるべきである。
【００２８】
ブラインドキャビティ１６という用語は、外側の開口に関して他端が閉じている非貫通キャビティを意味する。
【００２９】
ブラインドキャビティ１６は、このブラインドキャビティが形成されている突起部１４、１４ａ、１４ｂ、１４ｃ、１４ｄ、１４ｅの錐台状の輪郭と同軸である。
【００３０】
ブラインドキャビティ１６は、例えば円筒形である。
【００３１】
底面１５は足底形状である。
【００３２】
各突起部は、他の突起部の他の端面１７と共に、インソールを載置するための外面（図２および図３に点線で示され、参照番号２０で示されている。解剖学的形状をしている。）を画定するように平坦な端面１７を有する。
【００３３】
各突起部１４、１４ａ、１４ｂ、１４ｃ、１４ｄ、１４ｅの高さは、ミッドソール１０（突起部がその一部である）の領域における底面１５の解剖学的形状に従って変化している。
【００３４】
例えば、踵領域の突起部１４ａ、１４ｂ、１４ｃは、くびれ領域の突起部１４ｄよりも高い。
【００３５】
同様に、中足骨領域の突起部１４ｅは、くびれ領域の突起部１４ｄよりも高いが、踵領域の突起部１４ａ、１４ｂおよび１４ｃよりも低い。
【００３６】
より低いくびれ領域の突起部１４ｄは、例えば円筒形であり得る。
【００３７】
ミッドソール１０は、インソールを収容するための外周縁部２１によって囲まれている。
【００３８】
靴の使用中に元の形状に戻るのを容易にするために、ミッドソール１０は、弾性特性を有する材料を使用して単一片で提供され、好ましくは（０．１５〜１．２０）ｇ／ｃｍ３の間に含まれる密度、および好ましくは（１５〜６０）ショアＡの間に含まれる硬度を有する。例えば、ＳＢＳ（スチレン−ブタジエン−スチレン）ゴム、ＮＲゴム（天然ゴム）、ゴムおよびＥＶＡ（エチレンビニルアセテート）、ＴＰＵ（熱可塑性ポリウレタン）および二成分（ポリオール−イソシアネート）発泡ポリウレタンＥＰなどである。
【００３９】
突起部１４、１４ａ、１４ｂ、１４ｃ、１４ｄ、１４ｅの特有の段付き錐台状は、段部が最も外側の段部から始まって対応するブラインドキャビティ１６内へ次第に潰れることを可能にし、したがって衝撃を緩和する。これとともに、段付き形状は、突起部が元の形状構造（衝撃/緩衝および弾性降伏/推進の別のサイクルに備えた）に戻されるまで、推進エネルギを戻すことによって、弾性降伏を提供することを可能にしている。
【００４０】
軸方向のキャビティ１６は、ミッドソール１０の軽量化に寄与するという利点も有する。
【００４１】
突起部１４、１４ａ、１４ｂ、１４ｃ、１４ｄ、１４ｅのそれぞれの配置およびサイズ、ならびに底面１５へのそれらの集中は、所望の緩衝機能、弾性降伏および所望の推進力の関数として定義される。これは、使用者の足の解剖学的形状構造および使用者によって行われる活動の種類と相関している。
【００４２】
図面において、本発明によるミッドソール１０は、本発明の一部ではないと理解されるべきであるトレッド２５を備えているように示されている。
【００４３】
かくして、本発明は、意図された狙いおよび目的である、ユーザの動き及び足の形状構造に迅速に順応でき、同時に優れた緩衝性とスラスト性を有する靴用ミッドソールを完全に達成するということが、判明した。
【００４４】
さらに、本発明では、緩衝能力とスラスト能力とが経時的に維持されること、また、過剰な回内または過度の回外の問題を抱えているユーザにとっても、適切なレベルの解剖学的順応が達成されることを確実にするミッドソールが、考え出された。
【００４５】
本発明の個々の構成要素の、使用される材料ならびに寸法は、特定の要求に従ってより適切であり得る。
【００４６】
有利、便利などとして上記に示された特徴は、欠落しているか、または、同等の特性に置き換えられてもよい。
【００４７】
本出願が優先権を主張するイタリア国特許出願第１０２０１６００００７３０１２号（ＵＡ２０１６Ａ００５１４６）における開示は、参照により本明細書に組み込まれる。
【００４８】
請求項に記載されている技術的特徴の後に参照符号が続く場合、それらの参照符号は、請求項の了解度を高める目的のみのために含まれており、したがって、そのような参照符号は、例としてそのような参照符号によって識別された各要素の解釈において、いかなる限定的な影響も及ぼさない。
【図１】
2019521824.tif 000003
【図２】
2019521824.tif 000004
【図３】
2019521824.tif 000005
【図４】
2019521824.tif 000006
【国際調査報告】
2019521824.tif 000007
2019521824.tif 000008
2019521824.tif 000009